(57)【要約】【課題】ロールペーパーの先端を見つけやすく、また、ロールペーパーから引き出したペーパーを片手で切断しやすい、新規なロールペーパーホルダーを提供する。【解決手段】ロールペーパーから、所望長さのペーパーを引き出して切断するためのロールペーパーホルダー。中央領域で下に凸に反ったカバー部材、ペーパーを指で摘まませる切欠形状部を備えるプレート、２つのペーパー載置部材を備え、カバー部材はロールペーパーの周面に当接し、ペーパーが、プレートと２つのペーパー載置部材に支持される。【選択図】  図６
2019198525.tif 000002
【特許請求の範囲】
【請求項１】
支持軸に挿通されるための中心空洞を有するロールペーパーから、所望長さのペーパーを引き出して切断するためのロールペーパーホルダーであって、
背板部材と、前記背板部材の前方に配されて前記ロールペーパーを回転可能に支持する前記支持軸と、前端に切断刃が配され、後方基部で前記背板部材に回動自在に支持されたカバー部材と、前記カバー部材の前方の側の両側面にそれぞれ配された２枚の巾規制部材と、前記カバー部材の下方で２枚の前記巾規制部材に回動自在に支持されたプレートと、前記プレートの下方で各前記巾規制部材にそれぞれ支持され、隙間を保持して対向するように配置された２つのペーパー載置部材と、を備え、
前記カバー部材は、前記各巾規制部材の配された位置と後端に挟まれた中央領域で下に凸に反っており、
前記プレートは前端の中央付近に前記ペーパーを指で摘まませるための切欠形状部を有し、
前記支持軸に前記中心空洞を挿通させて前記ロールペーパーをセットしたとき、
前記カバー部材は前記中央領域で前記ロールペーパーの周面に当接し、前記前端で前記ロールペーパーの周面に当接せず、
前記ロールペーパーから前記ペーパーが、前記プレートと２つの前記ペーパー載置部材との間から引き出されて前記プレートと２つの前記ペーパー載置部材に支持され、
前記ペーパーを引き出して上方へ上げたとき、前記プレートが上方へ回動することを特徴とするロールペーパーホルダー。
【請求項２】
セットされた前記ロールペーパーの各側面が各前記巾規制部材に対面し、各前記巾規制部材の間隔と、前記ロールペーパーの巾との差が１０ｍｍ以下である請求項１に記載のロールペーパーホルダー。
【発明の詳細な説明】
【技術分野】
【０００１】
本発明は、支持軸に挿通されるための中心空洞を有するロールペーパーから、所望長さのペーパーを引き出して切断するために用いられるロールペーパーホルダーに関する。
【背景技術】
【０００２】
家庭や公共施設のトイレに配置されるトイレットペーパーを巻回してなるロールペーパーは、一般的に、中心空洞を挿通させてロールペーパーを回転可能に支持する支持軸と、支持されたロールペーパーを上からカバーする、先端を切断部とする切断押圧板とを備えるロールペーパーホルダーにセットされて用いられている。
【０００３】
従来のロールペーパーホルダーにセットされたロールペーパーから所望長さのペーパーを引き出して切断する場合、使用者がペーパーの先端を把持して所望長さのペーパーを引き出し、片方の手で切断押圧板を上から押さえてロールペーパーを回転させないように押さえた状態で、他の手で引き出したペーパーを切断押圧板の先端に当てて切断していた。
【０００４】
従来のロールペーパーホルダーにセットされたロールペーパーから所望長さのペーパーを引き出して切断する場合、切断押圧板が不特定多数の手で触れられるために、不衛生であるという問題があった。また、片方の手で所望長さのペーパーを引き出しながら、他方の手で切断押圧板を上から押さえる必要があるために、片手が不自由な人にとっては使用することが難しかった。さらに、ロールペーパーのペーパーの先端が切断押圧板に覆われて隠れるときがあり、このような場合には、ペーパーの先端を探すことが手間であるという問題もあった。
【０００５】
上述したような問題を解決する技術も提案されている。例えば、下記特許文献１は、帯状のトイレットペーパーをロール状に巻き取ったロールペーパーを回転可能に支持するロール支持手段と、ロール支持手段により支持されたロールペーパーよりも上方に存し、トイレットペーパーを切断する切断手段と、切断手段とロールペーパーとの間のトイレットペーパーを、トイレットペーパーの長手方向に移動可能に下方から支持するペーパー支持手段と、切断手段により切断されるトイレットペーパーに、ペーパー支持手段と切断手段との間で上方から当接することでトイレットペーパーが該長手方向に移動することを妨げる制動力を加えるペーパー制動手段と、を備えてなる、トイレットペーパーホルダーを開示する。
【先行技術文献】
【特許文献】
【０００６】
【特許文献１】特開２００７−２４４４８８号公報
【発明の概要】
【発明が解決しようとする課題】
【０００７】
特許文献１に開示されたトイレットペーパーホルダーの場合、ロールペーパーを消費してロールペーパーの径が小さくなったときにロールペーパーからペーパー支持手段までの距離が長くなることにより、ペーパーの自重でペーパーがペーパー支持手段から外れやすくなり、ペーパーの先端を安定して支持することが難しいと思われる。
【０００８】
本発明は、ロールペーパーの先端を見つけやすく、また、ロールペーパーから引き出したペーパーを片手で切断しやすい、新規なロールペーパーホルダーを提供することを目的とする。
【課題を解決するための手段】
【０００９】
本発明の一局面は、支持軸に挿通されるための中心空洞を有するロールペーパーから、所望長さのペーパーを引き出して切断するためのロールペーパーホルダーであって、背板部材と、背板部材の前方に配されてロールペーパーを回転可能に支持する支持軸と、前端に切断刃が配され、後方基部で背板部材に回動自在に支持されたカバー部材と、カバー部材の前方の側の両側面にそれぞれ配された２枚の巾規制部材と、カバー部材の下方で２枚の巾規制部材に回動自在に支持されたプレートと、プレートの下方で各巾規制部材にそれぞれ支持され、隙間を保持して対向するように配置された２つのペーパー載置部材と、を備え、カバー部材は、各巾規制部材の配された位置と後端とに挟まれた中央領域で下に凸に反っており、プレートは前端の中央付近にペーパーを指で摘まませるための切欠形状部を有し、支持軸に中心空洞を挿通させてロールペーパーをセットしたとき、カバー部材は中央領域でロールペーパーの周面に当接し、前端でロールペーパーの周面に当接せず、ロールペーパーからペーパーが、プレートと２つのペーパー載置部材との間から引き出されてプレートと２つのペーパー載置部材に支持され、ペーパーを引き出して上方へ上げたとき、プレートが上方へ回動するロールペーパーホルダーである。
【００１０】
このような構成のロールペーパーホルダーによれば、ロールペーパーから引き出されたペーパーが２つのペーパー載置部材とプレートによって支持されるために、ロールペーパーの先端が見つけやすくなる。また、プレートに切欠形状部が設けられ、２つのペーパー載置部材の間に隙間が設けられているために、ペーパーを指で摘むことが容易である。そして、引き出された所望長さのペーパーを上に引き上げてカバー部材の前端に配された切断刃にペーパーを当てて切断する際には、下に凸に反ったカバー部材がロールペーパーの周面に当接してその回転を制限するために、片手での切断が容易になる。
【００１１】
また、セットされたロールペーパーの各側面が各巾規制部材に対面し、各巾規制部材の間隔と、ロールペーパーの巾との差が１０ｍｍ以下である場合には、ロールペーパーの巾方向への動きが２枚の巾規制部材で充分に規制されることにより、切断時にロールペーパーが水平方向に大きく動きにくくなるためにペーパーを片手で切断しやすくなる。
【発明の効果】
【００１２】
本発明によれば、ロールペーパーの先端を見つけやすく、また、ロールペーパーから引き出したペーパーを片手で切断しやすい、新規なロールペーパーホルダーを提供することができる。
【図面の簡単な説明】
【００１３】
【図１】図１は、本発明の実施形態に係るロールペーパーホルダー１００の構成を説明するための斜視透過模式図である。
【図２】図２は、ロールペーパーホルダー１００にロールペーパー１０をセットしたときの状態を説明するための斜視模式図である。
【図３】図３は、カバー部材２の模式図であり、（ａ）は上面斜視図、（ｂ）は左側面図である。
【図４】図４は、ロールペーパーホルダー１００のプレート５の動作を説明するための説明図である。
【図５】図５は、右ペーパー載置部材６ａ及び左ペーパー載置部材６ｂとプレート５との間にペーパー１０ａを配置するときの様子を説明するための説明図である。
【図６】図６は、右ペーパー載置部材６ａ及び左ペーパー載置部材６ｂとプレート５との間にペーパー１０ａを配置した様子を説明するための説明図である。
【図７】図７は、ロールペーパーホルダー１００にセットされたロールペーパー１０から所望長さのペーパー１０ａが引き出されて切断されるときの様子を説明する説明図である。
【発明を実施するための形態】
【００１４】
以下、本発明のロールペーパーホルダーの一実施形態を図面を参照して説明する。
【００１５】
図１は、本発明に係るロールペーパーホルダーの一実施形態であるロールペーパーホルダー１００の全体構成を説明するための斜視透過模式図である。また、図２は、ロールペーパーホルダー１００にトイレットペーパーであるロールペーパー１０をセットしたときの様子を説明するための斜視模式図である。なお、説明の便宜上、図１に示す、座標軸を参照すれば、紙面右側に向かう矢印Ｘ１の方向を左方向、紙面左側に向かう矢印Ｘ２の方向を右方向、紙面上側に向かう矢印Ｙ１の方向を上方向、紙面下側に向かう矢印Ｙ２の方向を下方向、紙面手前側に向かう矢印Ｚ１の方向を前方向、紙面奥側に向かう矢印Ｚ２の方向を後方向と方向付けて説明する。
【００１６】
図１中、１は背板本体部１ｃと背板右側部１ａと背板左側部１ｂとから構成される背板部材、２はカバー部材、３は支持軸、４ａは右巾規制部材、４ｂは左巾規制部材、５は切欠形状部Ｃを有するプレート、６ａは右ペーパー載置部材、６ｂは左ペーパー載置部材、７は切断刃である。
【００１７】
図１を参照すれば、背板部材１は、背板本体部１ｃを形成される領域と、背板右側部１ａ及び背板左側部１ｂを折曲加工により形成できる耳部を備えた所定の形状に切削加工された金属板の耳部を略９０度に折曲げて成形された部材である。また、背板右側部１ａ及び背板左側部１ｂには、カバー部材２をその後方基部で回動自在に支持するための回転軸３１ａ，３１ｂを挿通される孔１１ａ，１１ｂが形成されている。さらに、背板本体部１ｃには、壁面にロールペーパーホルダー１００をネジで取り付けるために用いられる孔１２ａ，１２ｂ、及び支持軸３を固定するために用いられる孔１３ａ，１３ｂが形成されている。また、背板部材は、金属板加工品の代わりに、木材加工品や樹脂成形体であってもよい。
【００１８】
背板部材１には、中心空洞を有するロールペーパー１０を支持するために、前方に延出する片持ちの支持軸３が配されている。支持軸３は略コの字状に背板部材１にブラケットで支持されている。ロールペーパーホルダー１００では、支持軸３のブラケットは背板部材１の孔１３ａ，１３ｂにネジ２１ａ，２１ｂでネジ止めされている。なお、支持軸の固定はこのような形態に限定されず、例えば、背板部材にリベット止めしたり、背板部材に略コの字状の支持軸を接着や溶接で固定したり、背板部材と一体化されていてもよい。
【００１９】
また、カバー部材２はその後方基部で、背板部材１の背板右側部１ａ及び背板左側部１ｂに回動自在に支持されている。図３はカバー部材２の模式図であり、（ａ）は上面斜視図、（ｂ）は左側面図である。図３に示すように、カバー部材２は、カバー本体部２ｃと、カバー本体部２ｃの後方基部に配された後方右側部２ａ及び後方左側部２ｂと、カバー本体部２ｃの前方に配された前方右側部２ｄ及び前方左側部２ｅとを備える。
【００２０】
カバー部材２も背板部材１と同様に、後方右側部２ａ，後方左側部２ｂ，前方右側部２ｄ及び前方左側部２ｅを、折り曲げ加工により形成できる耳部を備えた所定の形状に切削加工された金属板の耳部を略９０度に折曲げて成形できる。後方右側部２ａには孔１４ａが、後方左側部２ｂには孔１４ｂが形成されている。さらに、前方右側部２ｄには孔１５ａが、前方左側部２ｅには孔１５ｂが形成されている。図１を参照すれば、背板右側部１ａにカバー部材２の後方右側部２ａが、背板左側部１ｂに後方左側部２ｂがそれぞれ重ねられ、孔１１ａに孔１４ａを、孔１１ｂに孔１４ｂを重ねて、それぞれに回転軸３１ａ，３１ｂを挿通して固定することにより、カバー部材２はその後方基部で背板部材１に枢支される。このようにして、カバー部材２は背板部材１に回動自在に支持される。
【００２１】
また、カバー部材２は、各巾規制部材の配される前方右側部２ｄ及び前方左側部２ｅから後方基部の後方右側部２ａ及び後方左側部２ｂにかけて、下に凸に反った中央領域Ｒを有する。図２を参照すれば、カバー部材２の中央領域Ｒを下に凸に反らせていることにより、ロールペーパー１０をセットしたときに、ロールペーパー１０の周面に、カバー部材２の中央領域Ｒが当接し、右巾規制部材４ａ及び左巾規制部材４ｂの配された前方では当接しない。カバー部材２をこのように形成することにより、カバー部材２の中央領域Ｒがロールペーパー１０の周面に局所的に当接することにより、当接した部分にカバー部材２の重量が集中してロールペーパー１０の回転に適度なブレーキを掛ける。
【００２２】
詳しくは、カバー部材２は、中央領域Ｒをロールペーパー１０の周面に局所的に当接させることにより、カバー部材２及び、カバー部材に付加される切断刃７，右巾規制部材４ａ，左巾規制部材４ｂ，プレート５，右ペーパー載置部材６ａ及び左ペーパー載置部材６ｂ等の重量を当接面に集中させる。その結果、ロールペーパー１０からペーパーが引き出されるときに、カバー部材２は、ロールペーパー１０を回転させにくくし、また、カバー部材２が揺動することを抑制する。なお、ブレーキの作用が強すぎる場合には、ロールペーパー１０からペーパーを引き出しにくくなることがある。すなわち、ロールペーパー１０を回転させにくくするためには静摩擦力が高いことが好ましく、ロールペーパー１０からペーパーを引き出しやすくするためには動摩擦力が低いことが好ましい。ロールペーパー１０からペーパーを引き出しやすくしながら、ペーパーを引き出すときにロールペーパー１０を回転させにくくさせるためには、静摩擦力と動摩擦力とのバランスを制御することが好ましい。具体的には、カバー部材２とロールペーパー１０に当接する部分の摩擦力を調整するために、例えば、カバー部材２，切断刃７，右巾規制部材４ａ，左巾規制部材４ｂ，プレート５，右ペーパー載置部材６ａ及び左ペーパー載置部材６ｂ等の重量を調整したり、当接面の表面粗さを調整したり、中央領域Ｒで下に凸に反った部分の曲率を調整して当接面の面積を調整したり、当接面を前後にずらすことにより、てこの原理により摩擦力を調整したりすることが好ましい。また、カバー部材２を比重の高い金属で作成したり、厚みを増して重量を高めたりしてもよい。
【００２３】
図１を参照すれば、カバー部材２の前方には、右巾規制部材４ａ及び左巾規制部材４ｂが配されている。右巾規制部材４ａ及び左巾規制部材４ｂは、図３を参照すれば、カバー部材２の前方右側部２ｄ及び前方左側部２ｅに形成された孔１５ａ，孔１５ｂにリベット止め等により固定される。なお、カバー部材に対する右巾規制部材及び左巾規制部材の固定手段はリベット止めに限られず、他の方法で固定してもよい。具体的には、例えば、カバー部材に前方右側部及び前方左側部に接着や溶接で固定したり、カバー部材を形成される領域と右巾規制部材及び左巾規制部材を折曲加工により形成できる領域である耳部を備えた所定の形状に切削加工された金属板の耳部を、略９０度に折曲げて成形するようにしてカバー部材に一体化されたりしてもよい。
【００２４】
図２を参照すれば、右巾規制部材４ａ及び左巾規制部材４ｂは、その間にロールペーパー１０を配置させてロールペーパー１０の水平方向の移動を制限するとともに、プレート５を回動可能に支持するための基部になり、さらに、右巾規制部材４ａは右ペーパー載置部材６ａを支持し、左巾規制部材４ｂは左ペーパー載置部材６ｂを支持する基部になる。
【００２５】
ロールペーパー１０がセットされたとき、ロールペーパー１０の右側面は右巾規制部材４ａに、左側面は左巾規制部材４ｂに、それぞれ対面する。このとき、右巾規制部材４ａと左巾規制部材４ｂとの間隔はロールペーパー１０からペーパーを引き出す際の引き出しやすさを阻害しない範囲で短いことが好ましい。右巾規制部材４ａと左巾規制部材４ｂとの間隔が長すぎる場合には、ロールペーパー１０が水平方向に動きやすくなるために、ペーパーを切断しにくくなる傾向がある。このような点から、右巾規制部材４ａと左巾規制部材４ｂとの間隔とロールペーパー１０の巾との差は１０ｍｍ以下、さらには５ｍｍ以下とくには２ｍｍ以下であることが、ロールペーパー１０の巾方向への動きが充分に制限されることにより、切断時にロールペーパー１０が動きにくくなり、ペーパーを片手で切断しやすくなる点から好ましい。例えば、標準的な１１４ｍｍ±２ｍｍの幅のトイレットパーパーを用いる場合、右巾規制部材４ａと左巾規制部材４ｂとの間隔は、１１４〜１２４ｍｍ、さらには、１１４〜１１９ｍｍ、とくには、１１４〜１１６ｍｍであることが好ましい。
【００２６】
図１に示すように、カバー部材２の下方には、右巾規制部材４ａと左巾規制部材４ｂとに回動自在に支持されたプレート５が配されている。具体的には、プレート５の後端に円筒部が設けられており、右巾規制部材４ａに形成された孔１６ａと左巾規制部材４ｂに形成された孔１６ｂに渡されて固定された回転軸３３に円筒部を挿通させることにより、プレート５が回転軸３３を中心に回動自在に支持されている。
【００２７】
プレート５の前端の中央部には切欠形状部Ｃが形成されている。切欠形状部Ｃは、ロールペーパー１０のペーパーの先端付近を指で摘まませるために設けられている。切欠形状部Ｃの寸法は指でペーパーを摘まめる形状であれば、特に限定されないが、例えば、指での摘まみやすさを考慮すれば、幅方向で３０〜６０ｍｍ程度、奥行が１０〜３０ｍｍ程度の矩形または半円等の形状であることが好ましい。
【００２８】
図４は、プレート５の動作を説明するための説明図であり、ロールペーパーホルダー１００の左巾規制部材４ｂ付近を左側方から見たときの状態を示している。プレート５はその後端付近で左巾規制部材４ｂと図略の右巾規制部材４ａにより回転軸３３を回動中心とし回動自在に支持されている。図４（ａ）に示すようにプレート５は回転軸３３を中心にＡで示した上方向、または、図４（ｂ）に示すように回転軸３３を中心にＢで示した下方向に回動する。後述するように、ロールペーパー１０からペーパーを引き出してペーパーを上に引き上げたときは、ペーパーに接触して引き上げられてプレート５の前端は上がり、引き上げられたペーパーを離したときには、プレート５の前端は自重で下がる。また、プレート５は、右ペーパー載置部材６ａ及び左ペーパー載置部材６ｂにより下方向への回動範囲が制限される。
【００２９】
図１を参照すれば、右ペーパー載置部材６ａは右方で、左ペーパー載置部材６ｂは左方で、引き出されたペーパーを載置するための部材である。右ペーパー載置部材６ａと左ペーパー載置部材６ｂとの間には、ペーパーを指で摘まませるために所定の間隔の隙間Ｇが保持されている。隙間Ｇの間隔は指でペーパーを摘まめる間隔で、ペーパーを引き出している際に載置部材から落ちない間隔であれば特に限定されないが、例えば、３０〜６０ｍｍ程度であることが好ましい。
【００３０】
右ペーパー載置部材６ａ及び左ペーパー載置部材６ｂは、それらの上に引き出されたペーパーを載置し、載置されたペーパーの上にプレート５が自重で被さり、右ペーパー載置部材６ａ及び左ペーパー載置部材６ｂとプレート５とにペーパーが挟持される。
【００３１】
カバー部材２の前端には切断刃７が配されている。切断刃７は、指を切る危険を少なくするために、好ましくは鋭利ではなく、力を入れることによりペーパーが切断される、複数のｖ字歯が配列された切断刃であることが好ましい。また、好ましくは、最初にペーパーを切断するときにはより大きな力がいるために、最初にペーパーに当たる両端では歯が大きく、中央にかけて歯が小さくなるような複数のｖ字歯から構成される切断刃であることが特に好ましい。このような切断刃は、カバー部材の前端に一体化されて配されても、後付けで接合して配してもよい。
【００３２】
次に、ロールペーパーホルダー１００にロールペーパー１０をセットして、ロールペーパーホルダー１００を使用するときの動作について説明する。
【００３３】
ロールペーパー１０は、ロールペーパーホルダー１００のカバー部材２を上げた状態で、その中心空洞を支持軸３に挿通し、ロールペーパー１０の右側面に右巾規制部材４ａが対面し、左側面に左巾規制部材４ｂが対面するように位置を微調節してセットされる。右巾規制部材４ａと左巾規制部材４ｂとの間にロールペーパー１０が配置されることにより、ロールペーパー１０の水平方向の移動が制限される。また、このとき、カバー部材２の裏面がロールペーパー１０の周面に当接する。このようにして、図２に示すように、ロールペーパーホルダー１００にロールペーパー１０がセットされる。
【００３４】
次に、ロールペーパーホルダー１００にセットされたロールペーパー１０からペーパーを引き出して右ペーパー載置部材６ａ及び左ペーパー載置部材６ｂとプレート５との間にペーパー１０ａを配置する動作について説明する。図５は、右ペーパー載置部材６ａ及び左ペーパー載置部材６ｂとプレート５との間に引き出されたペーパー１０ａを配置する動作を説明するための説明図である。ロールペーパー１０から引き出されたペーパー１０ａは、ロールペーパー１０のペーパー１０ａの先端の中央付近を指で摘ままれ、右ペーパー載置部材６ａと左ペーパー載置部材６ｂとの間に形成された隙間Ｇを通過させるように、矢印で示した上方Ｕに先端が引き上げられる。ペーパー１０ａは、先端が摘ままれた状態で隙間Ｇを通されて幅方向の両端を中央に集められ、隙間Ｇを通過させられた後、解放されることにより右ペーパー載置部材６ａ及び左ペーパー載置部材６ｂの上に載置される。このとき、ペーパー１０ａの先端を引き上げる力により、プレート５もともに引き上がる。そして、右ペーパー載置部材６ａ及び左ペーパー載置部材６ｂの上にペーパー１０ａが載置されることを確認した後、ペーパー１０ａを指から解放すると、自重によってプレート５が下がる。プレート５が下がることにより、右ペーパー載置部材６ａ及び左ペーパー載置部材６ｂに載置されたペーパー１０ａの上にプレート５が被さり、ペーパー１０ａを自重で抑える。
【００３５】
このようにして、図６に示すように、右ペーパー載置部材６ａ及び左ペーパー載置部材６ｂとプレート５との間にペーパー１０ａが配置される。このとき、ペーパー１０ａの先端は右ペーパー載置部材６ａ及び左ペーパー載置部材６ｂとプレート５との間に挟持される。右ペーパー載置部材６ａ及び左ペーパー載置部材６ｂとプレート５との間にペーパー１０ａの先端が挟持されることにより、ペーパー１０ａの先端の位置が明らかになり、先端を探す手間をなくすことができる。すなわち、ロールペーパーホルダー１００からペーパー１０ａを引き出すためには、切欠形状部Ｃに現れるペーパー１０ａの先端を指で摘まんで引き出すだけでよい。そして、切欠形状部Ｃからペーパー１０ａの先端を指で摘まんで引き出すことにより、ロールペーパー１０から所望長さのペーパー１０ａが引き出される。
【００３６】
次に、引き出された所望長さのペーパー１０ａを引出し、切断する動作について図７を参照して説明する。図７は、ロールペーパーホルダー１００にセットされたロールペーパー１０から所望長さのペーパー１０ａが引き出されて切断されるときの様子を説明する説明図である。図７（ａ）は、ペーパー１０ａを引き出して上後方Ｄに引き上げる直前の左側面視した状態、図７（ｂ）は、引き出されたペーパー１０ａを切断した後の左側面視した状態を示す。
【００３７】
図７（ａ）を参照すれば、引き出されたペーパー１０ａは図略の指で摘ままれて、一方の端から上後方Ｄに引かれながら切断刃７で切断される。このときロールペーパー１０の周面がカバー部材２の中央領域Ｒに当接していることにより、当接面のブレーキ作用により、ペーパー１０ａが上後方Ｄに引かれてもロールペーパー１０が回転することが抑えられる。そのために、片手でペーパー１０ａを切断しやすくなる。すなわち、ペーパー１０ａを切断する際に、ロールペーパー１０及びカバー部材２が動きにくいために、カバー部材２を押さえずに片手でペーパー１０ａを切断することができる。また、引き出されたペーパー１０ａはプレート５で抑えられながら切断されるために、切断刃７にペーパー１０ａを当てるときにペーパー１０ａに上から押さえられる。そして、ペーパー１０ａを切断刃７に当てて上後方Ｄに引き続けることにより、所望長さのペーパー１０ａが切断される。
【００３８】
所望長さのペーパー１０ａの切断後は、ペーパー１０ａの先端が解放されることにより、図７（ｂ）に示すように、ペーパー１０ａに当接して上がっていたプレート５は自重で下がる。そして、切断後に現れた新たなペーパー１０ａの先端も、プレート５が下がるとともに、右ペーパー載置部材６ａ及び左ペーパー載置部材６ｂとプレート５とによって挟持される。切断刃７にペーパー１０ａの先端が引っ掛かった場合にも、切断後にプレート５が下がることにより、切断刃７からペーパー１０ａの先端が引き離される。このようにして、ペーパー１０ａの先端は、次回使用時にも切欠形状部Ｃに現れる。ペーパー１０ａの先端が切欠形状部Ｃに現れることにより、ペーパー１０ａの先端を探す手間が不要になる。
【００３９】
また、ペーパー１０ａの消費に伴い、ロールペーパー１０の径は小さくなる。本実施形態のロールペーパーホルダー１００によれば、ロールペーパー１０の径が小さくなってもロールペーパー１０の周面にカバー部材２の裏面が当接し続ける。また、ロールペーパー１０の径が小さくなっても、ロールペーパー１０から引き出されたペーパー１０ａの先端は、右ペーパー載置部材６ａ及び左ペーパー載置部材６ｂとプレート５との間に挟持される。また、ロールペーパー１０の径が小さくなっても、ロールペーパー１０の周面と右ペーパー載置部材６ａ及び左ペーパー載置部材６ｂとの間隔は殆ど変化しないために、右ペーパー載置部材６ａ及び左ペーパー載置部材６ｂからペーパー１０ａが落ちにくい。
【００４０】
上述のように、本実施形態のロールペーパーホルダーによれば、従来のロールペーパーホルダーのように、セットされたロールペーパーから所望長さのペーパーを引き出して切断する場合に、ロールペーパーの回転を抑えるために使用者が切断押圧板を押さえなくても、所定長さのペーパーを片手で切断することができる。また、ペーパーの先端は、右ペーパー載置部材及び左ペーパー載置部材とプレートとに挟持されるために、ペーパーの先端を探さずに、切欠形状部にすぐに見つけることができる。
【００４１】
以上、本発明に係るロールペーパーホルダーの一実施形態を説明した。本発明に係るロールペーパーホルダーの実施形態は、以上説明したような実施形態に限られるものではなく、発明の趣旨を逸脱しない範囲で適宜変更することができる。
【符号の説明】
【００４２】
１  背板部材
２  カバー部材
３  支持軸
４ａ  右巾規制部材
４ｂ  左巾規制部材
５  プレート
６ａ  右ペーパー載置部材
６ｂ  左ペーパー載置部材
７  切断刃
１０  ロールペーパー
１０ａ  ペーパー
３１ａ，３１ｂ，３３  回転軸
１００  ロールペーパーホルダー
Ｃ  切欠形状部
Ｇ  隙間
Ｒ  中央領域
【図１】
2019198525.tif 000003
【図２】
2019198525.tif 000004
【図３】
2019198525.tif 000005
【図４】
2019198525.tif 000006
【図５】
2019198525.tif 000007
【図６】
2019198525.tif 000008
【図７】
2019198525.tif 000009
【手続補正書】
【提出日】平成30年8月11日(2018.8.11)
【手続補正１】
【補正対象書類名】特許請求の範囲
【補正対象項目名】全文
【補正方法】変更
【補正の内容】
【特許請求の範囲】
【請求項１】
支持軸に挿通されるための中心空洞を有するロールペーパーから、所望長さのペーパーを引き出して切断するためのロールペーパーホルダーであって、
背板部材と、前記背板部材の前方に配されて前記ロールペーパーを回転可能に支持する前記支持軸と、前端に切断刃が配され、後方基部で前記背板部材に回動自在に支持されたカバー部材と、前記カバー部材の前方の側の両側面にそれぞれ配された２枚の巾規制部材と、前記カバー部材の下方で２枚の前記巾規制部材に回動自在に支持されたプレートと、前記プレートの下方で各前記巾規制部材にそれぞれ固定支持され、隙間を保持して対向するように配置された２つのペーパー載置部材と、を備え、
前記カバー部材は、前記各巾規制部材の配された位置と後端に挟まれた中央領域で下に凸に反っており、
前記プレートは前端の中央付近に前記ペーパーを指で摘まませるための切欠形状部を有し、
前記支持軸に前記中心空洞を挿通させて前記ロールペーパーをセットしたとき、
前記カバー部材は前記中央領域で前記ロールペーパーの周面に当接し、前記前端で前記ロールペーパーの周面に当接せず、
前記ロールペーパーから前記ペーパーが、前記プレートと２つの前記ペーパー載置部材との間から引き出されて前記プレートと２つの前記ペーパー載置部材に支持され、
前記ペーパーを引き出して上方へ上げたとき、前記プレートが上方へ回動することを特徴とするロールペーパーホルダー。
【請求項２】
セットされた前記ロールペーパーの各側面が各前記巾規制部材に対面し、各前記巾規制部材の間隔と、前記ロールペーパーの巾との差が１０ｍｍ以下である請求項１に記載のロールペーパーホルダー
【手続補正２】
【補正対象書類名】明細書
【補正対象項目名】０００９
【補正方法】変更
【補正の内容】
【０００９】
本発明の一局面は、支持軸に挿通されるための中心空洞を有するロールペーパーから、所望長さのペーパーを引き出して切断するためのロールペーパーホルダーであって、背板部材と、背板部材の前方に配されてロールペーパーを回転可能に支持する支持軸と、前端に切断刃が配され、後方基部で背板部材に回動自在に支持されたカバー部材と、カバー部材の前方の側の両側面にそれぞれ配された２枚の巾規制部材と、カバー部材の下方で２枚の巾規制部材に回動自在に支持されたプレートと、プレートの下方で各巾規制部材にそれぞれ固定支持され、隙間を保持して対向するように配置された２つのペーパー載置部材と、を備え、カバー部材は、各巾規制部材の配された位置と後端とに挟まれた中央領域で下に凸に反っており、プレートは前端の中央付近にペーパーを指で摘まませるための切欠形状部を有し、支持軸に中心空洞を挿通させてロールペーパーをセットしたとき、カバー部材は中央領域でロールペーパーの周面に当接し、前端でロールペーパーの周面に当接せず、ロールペーパーからペーパーが、プレートと２つのペーパー載置部材との間から引き出されてプレートと２つのペーパー載置部材に支持され、ペーパーを引き出して上方へ上げたとき、プレートが上方へ回動するロールペーパーホルダーである。